(57)【要約】【課題】マット自体を替えることなく、広告を差し替えることができ、広告内容の変更要求に適時に対応することができる広告機能付きフロアーマットを提供する。【解決手段】広告機能付きフロアーマット１０Ａは、広告シート１１と、複数の透明な支持プレート１２Ａ〜１２Ｅと、広告シート１１およびそれらプレート１２Ａ〜１２Ｅを乗せる可撓性の長尺ベース１４と、それらプレート１２Ａ〜１２Ｅの縁部をベース１４の縁部に固定する可撓性の長尺フレーム１３とから形成されている。フロアーマット１０Ａでは、広告シート１１がプレート１３とベース１４との間に挟み込まれた状態で着脱可能に固定され、それらプレート１２Ａ〜１２Ｅの縁部がフレーム１３とベース１４との間に挟み込まれた状態で着脱可能に固定される。【選択図】図１
2011212221.tif 000002
【特許請求の範囲】
【請求項１】
所定の広告を表示した広告シートと、複数の透明な支持プレートと、前記広告シートを乗せるとともに前記複数の支持プレートを一方向へ並べた状態でそれら支持プレートを乗せる可撓性の長尺ベースと、前記長尺ベースの周縁部に重なり、それら支持プレートの縁部を前記長尺ベースの周縁部に固定する可撓性の長尺フレームとから形成され、前記広告シートが、前記支持プレートと前記長尺ベースとの間に挟み込まれた状態で着脱可能に固定され、それら支持プレートの縁部が、前記長尺ベースと前記長尺フレームとの間に挟み込まれた状態で着脱可能に固定される広告機能付きフロアーマット。
【請求項２】
前記支持プレートの縁部が、固定手段を介して前記長尺ベースの周縁部に固定され、前記長尺ベースの周縁部と前記長尺フレームの周縁部とが、前記固定手段を介して着脱可能に固定される請求項１に記載の広告機能付きフロアーマット。
【請求項３】
前記一方向へ隣り合う支持プレートが、それら支持プレートの縁部どうしを着脱可能に連結する可撓性の連結部材を介して前記一方向へ連結されている請求項１または請求項２に記載の広告機能付きフロアーマット。
【請求項４】
前記長尺フレームの周縁部が、前記長尺ベースの内側に向かうにつれて下り勾配に傾斜しつつ、前記支持プレートの縁部を固定する第１スロープ部分と、前記第１スロープ部分の外側に位置して上下方向下方へ凸となる凸部分と、前記凸部分の外側に位置して上下方向上方へ凹む凹部分と、前記凹部分の外側に位置して該外側に向かうにつれて下り勾配に傾斜する第２スロープ部分とを有し、前記長尺ベースの周縁部が、前記長尺フレームの周縁部の第１スロープ部分に対向して前記支持プレートの縁部を前記固定手段を介して着脱可能に固定する固定部分と、前記固定部分の外側に位置して前記長尺フレームの周縁部の凸部分に当接する当接部分と、前記当接部分の外側に位置して上下方向上方へ凸となり、前記長尺フレームの周縁部の凹部分に嵌合する凸部分とを有し、前記長尺フレームの周縁部の凹部分と前記長尺ベースの周縁部の凸部分とが、前記固定手段を介して着脱可能に固定される請求項２または請求項３に記載の広告機能付きフロアーマット。
【請求項５】
前記長尺フレームの周縁部が、前記長尺ベースの内側に向かうにつれて下り勾配に傾斜しつつ、前記支持プレートの縁部を固定する第１スロープ部分と、前記第１スロープ部分の外側に位置して上下方向上方へ凹む凹部分と、前記凹部分の外側に位置して該外側に向かうにつれて下り勾配に傾斜する第２スロープ部分とを有し、前記長尺ベースの周縁部が、前記長尺フレームの周縁部の第１スロープ部分に対向して前記支持プレートの縁部を前記固定手段を介して着脱可能に固定する固定部分と、前記固定部分の外側に位置して上下方向上方へ凸となり、前記長尺フレームの周縁部の凹部分に嵌合する凸部分とを有し、前記長尺フレームの周縁部の凹部分と前記長尺ベースの周縁部の凸部分とが、前記固定手段を介して着脱可能に固定される請求項２または請求項３に記載の広告機能付きフロアーマット。
【請求項６】
前記固定手段が、粘着剤である請求項２ないし請求項５いずれかに記載の広告機能付きフロアーマット。
【請求項７】
前記長尺フレームの周縁部が、前記長尺ベースの内側に向かうにつれて下り勾配に傾斜しつつ、前記支持プレートの縁部を固定する第１スロープ部分と、前記第１スロープ部分の外側に位置して上下方向上方へ凹む凹部分と、前記凹部分の外側に位置して該外側に向かうにつれて下り勾配に傾斜する第２スロープ部分とを有し、前記長尺ベースの周縁部が、前記長尺フレームの周縁部の第１スロープ部分に対向して前記支持プレートの縁部を前記固定手段を介して着脱可能に固定する固定部分と、前記固定部分の外側に位置して上下方向上方へ凸となり、前記長尺フレームの周縁部の第１スロープ部分に当接する第１凸部分と、前記第１凸部分の外側に位置して上下方向下方へ凹み、前記長尺フレームの周縁部の凹部分に対向する凹部分と、前記凹部分の外側に位置して上下方向上方へ凸となり、前記長尺フレームの周縁部の第２スロープ部分に当接する第２凸部分とを有し、前記長尺フレームの周縁部の凹部分と前記ベースの周縁部の凹部分とが、前記固定手段を介して着脱可能に固定される請求項２または請求項３に記載の広告機能付きフロアーマット。
【請求項８】
前記支持プレートの縁部を固定する前記長尺ベースの固定部分の固定手段が、粘着剤であり、前記長尺フレームの周縁部の凹部分と前記長尺ベースの周縁部の凹部分とを固定する固定手段が、前記長尺フレームの周縁部の凹部分に取り付けられたメカニカルファスナの雄ファスナと雌ファスナとのいずれか一方と、前記長尺ベースの周縁部の凹部分に取り付けられたメカニカルファスナの雄ファスナと雌ファスナとのいずれか他方とである請求項７に記載の広告機能付きフロアーマット。
【請求項９】
前記支持プレートが、前記長尺ベースに対向する透明なＰＥＴ樹脂シートと、前記ＰＥＴ樹脂シートの前記長尺ベースに対する非対向面に配置された透明な保護シートとから形成され、前記保護シートが、透明な合成樹脂と前記合成樹脂に練り込まれた透明なセラミック粉末とから作られ、前記ＰＥＴ樹脂シートの非対向面に塗布された透明なＵＶ樹脂をバインダーとして前記非対向面に接合されている請求項１ないし請求項８いずれかに記載の広告機能付きフロアーマット。
【発明の詳細な説明】
【技術分野】
【０００１】
本発明は、広告機能を備えた広告機能付きフロアーマットに関する。
【背景技術】
【０００２】
足拭きマットの製造およびレンタルを行う足拭きマット事業者と、足拭きマット事業者との契約によって足拭きマットに広告を掲載する広告主と、足拭きマット事業者との契約によって広告が掲載された各種広告付き足拭きマットの設置場所を提供する場所提供者との関係から構築された広告方法がある（特許文献１参照）。この広告方法は、足拭きマット事業者が広告主からの依頼により、製造およびレンタル契約した足拭きマットに広告を掲載し、その広告付き足拭きマットを場所提供者の提供する設置場所において利用者の多くなる時期に応じて選択的に移動設置し、広告付き足拭きマットの設置期間に応じた対価を足拭きマット事業者が場所提供者に支払う。この広告方法は、広告付き足拭きマットを利用者の多くなる時期に応じて選択的に移動設置するから、広告付き足拭きマットの宣伝効果を向上させることができる。
【先行技術文献】
【特許文献】
【０００３】
【特許文献１】特開２００４−１７０８４６号公報
【発明の概要】
【発明が解決しようとする課題】
【０００４】
前記特許文献１に開示の広告方法に使用するマットは、その足拭き部分の表面に所定の広告を掲載するから、広告の内容を変更する場合、マット自体を別の広告を掲載したそれと差し替えなければならず、その分の手間と費用とがかかる。この広告方法に使用するマットは、それを残した状態で広告の差し替えを行うことができず、広告内容を自由に替えることができないから、一つのマットで多種多様な広告を掲載することができず、広告内容の変更要求に適時に対応することができない。さらに、この広告方法に使用するマットは、一方向へ長い長尺の広告を掲載することができず、長尺の広告の掲載要求に対応することができない。
【０００５】
本発明の目的は、マット自体を替えることなく、広告を差し替えることができ、広告内容の変更要求に適時に対応することができる広告機能付きフロアーマットを提供することにある。本発明の他の目的は、一方向へ長い長尺の広告を掲載することができ、長尺の広告の掲載要求に対応することができる広告機能付きフロアーマットを提供することにある。
【課題を解決するための手段】
【０００６】
前記課題を解決するための本発明にかかる広告機能付きフロアーマットは、所定の広告を表示した広告シートと、複数の透明な支持プレートと、広告シートを乗せるとともに複数の支持プレートを一方向へ並べた状態でそれら支持プレートを乗せる可撓性の長尺ベースと、長尺ベースの周縁部に重なり、それら支持プレートの縁部を長尺ベースの周縁部に固定する可撓性の長尺フレームとから形成され、広告シートが支持プレートと長尺ベースとの間に挟み込まれた状態で着脱可能に固定され、それら支持プレートの縁部が長尺ベースと長尺フレームとの間に挟み込まれた状態で着脱可能に固定される。
【０００７】
本発明にかかる広告機能付きフロアーマットの一例としては、支持プレートの縁部が固定手段を介して長尺ベースの周縁部に固定され、長尺ベースの周縁部と長尺フレームの周縁部とが固定手段を介して着脱可能に固定される。
【０００８】
本発明にかかる広告機能付きフロアーマットの他の一例としては、一方向へ隣り合う支持プレートがそれら支持プレートの縁部どうしを着脱可能に連結する可撓性の連結部材を介して一方向へ連結されている。
【０００９】
本発明にかかる広告機能付きフロアーマットの他の一例としては、長尺フレームの周縁部が、長尺ベースの内側に向かうにつれて下り勾配に傾斜しつつ、支持プレートの縁部を固定する第１スロープ部分と、第１スロープ部分の外側に位置して上下方向下方へ凸となる凸部分と、凸部分の外側に位置して上下方向上方へ凹む凹部分と、凹部分の外側に位置して外側に向かうにつれて下り勾配に傾斜する第２スロープ部分とを有し、長尺ベースの周縁部が、長尺フレームの周縁部の第１スロープ部分に対向して支持プレートの縁部を固定手段を介して着脱可能に固定する固定部分と、固定部分の外側に位置して長尺フレームの周縁部の凸部分に当接する当接部分と、当接部分の外側に位置して上下方向上方へ凸となり、長尺フレームの周縁部の凹部分に嵌合する凸部分とを有し、長尺フレームの周縁部の凹部分と長尺ベースの周縁部の凸部分とが固定手段を介して着脱可能に固定される。
【００１０】
本発明にかかる広告機能付きフロアーマットの他の一例としては、長尺フレームの周縁部が、長尺ベースの内側に向かうにつれて下り勾配に傾斜しつつ、支持プレートの縁部を固定する第１スロープ部分と、第１スロープ部分の外側に位置して上下方向上方へ凹む凹部分と、凹部分の外側に位置して外側に向かうにつれて下り勾配に傾斜する第２スロープ部分とを有し、長尺ベースの周縁部が、長尺フレームの周縁部の第１スロープ部分に対向して支持プレートの縁部を固定手段を介して着脱可能に固定する固定部分と、固定部分の外側に位置して上下方向上方へ凸となり、長尺フレームの周縁部の凹部分に嵌合する凸部分とを有し、長尺フレームの周縁部の凹部分と長尺ベースの周縁部の凸部分とが固定手段を介して着脱可能に固定される。
【００１１】
本発明にかかる広告機能付きフロアーマットの他の一例としては、固定手段が粘着剤である。
【００１２】
本発明にかかる広告機能付きフロアーマットの他の一例としては、長尺フレームの周縁部が、長尺ベースの内側に向かうにつれて下り勾配に傾斜しつつ、支持プレートの縁部を固定する第１スロープ部分と、第１スロープ部分の外側に位置して上下方向上方へ凹む凹部分と、凹部分の外側に位置して外側に向かうにつれて下り勾配に傾斜する第２スロープ部分とを有し、長尺ベースの周縁部が、長尺フレームの周縁部の第１スロープ部分に対向して支持プレートの縁部を固定手段を介して着脱可能に固定する固定部分と、固定部分の外側に位置して上下方向上方へ凸となり、長尺フレームの周縁部の第１スロープ部分に当接する第１凸部分と、第１凸部分の外側に位置して上下方向下方へ凹み、長尺フレームの周縁部の凹部分に対向する凹部分と、凹部分の外側に位置して上下方向上方へ凸となり、長尺フレームの周縁部の第２スロープ部分に当接する第２凸部分とを有し、長尺フレームの周縁部の凹部分とベースの周縁部の凹部分とが固定手段を介して着脱可能に固定される。
【００１３】
本発明にかかる広告機能付きフロアーマットの他の一例としては、支持プレートの縁部を固定する長尺ベースの固定部分の固定手段が粘着剤であり、長尺フレームの周縁部の凹部分と長尺ベースの周縁部の凹部分とを固定する固定手段が長尺フレームの周縁部の凹部分に取り付けられたメカニカルファスナの雄ファスナと雌ファスナとのいずれか一方と長尺ベースの周縁部の凹部分に取り付けられたメカニカルファスナの雄ファスナと雌ファスナとのいずれか他方とである。
【００１４】
本発明にかかる広告機能付きフロアーマットの他の一例としては、支持プレートが、長尺ベースに対向する透明なＰＥＴ樹脂シートと、ＰＥＴ樹脂シートの長尺ベースに対する非対向面に配置された透明な保護シートとから形成され、保護シートが、透明な合成樹脂と合成樹脂に練り込まれた透明なセラミック粉末とから作られ、ＰＥＴ樹脂シートの非対向面に塗布された透明なＵＶ樹脂をバインダーとして非対向面に接合されている。
【発明の効果】
【００１５】
本発明にかかる広告機能付きフロアーマットによれば、所定の広告を表示した広告シートが複数の支持プレートと長尺ベースとの間に着脱可能に取り付けられるから、マット自体を替えることなく、広告シートを差し替えることができ、広告内容の変更要求に適時に対応することができる。フロアーマットは、広告内容の変更が生じたとしても、マット自体を替える必要がないから、その分の手間や費用を省くことができる。フロアーマットは、それら支持プレートと一方向へ長い長尺ベースとの間に長尺の広告シートを取り付けることができるから、一方向へ長い長尺の広告を掲載することができ、長尺の広告の掲載要求に対応することができる。フロアーマットは、それら支持プレートと一方向へ長い長尺ベースとの間に複数枚の別の広告シートを取り付けることができるから、１つのフロアーマットに複数種類の広告シートを設置することができ、１つのフロアーマットで複数種類の広告を一度に表示することができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００１６】
支持プレートの縁部が固定手段を介して長尺ベースの周縁部に固定され、長尺ベースの周縁部と長尺フレームの周縁部とが固定手段を介して着脱可能に固定されるフロアーマットは、広告シートを支持プレートと長尺ベースとの間に確実に固定することができ、支持プレートを長尺ベースと長尺フレームとの間に確実に固定することができる。フロアーマットは、マット自体を替えることなく、広告シートを差し替えることができ、広告内容の変更要求に適時に対応することができる。フロアーマットは、それら支持プレートと一方向へ長い長尺ベースとの間に長尺の広告シートを取り付けることができるから、一方向へ長い長尺の広告を掲載することができ、長尺の広告の掲載要求に対応することができる。フロアーマットは、それら支持プレートと一方向へ長い長尺ベースとの間に複数枚の別の広告シートを取り付けることができるから、１つのフロアーマットに複数種類の広告シートを設置することができ、１つのフロアーマットで複数種類の広告を一度に表示することができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００１７】
一方向へ隣り合う支持プレートがそれら支持プレートの縁部どうしを着脱可能に連結する可撓性の連結部材を介して一方向へ連結された広告機能付きフロアーマットは、連結部材によって複数の支持プレートを一方向へつなげることができるから、一方の支持プレートの他方の支持プレートへの重なりを防ぐことができ、それらプレートを一方向へ整然と並べることができる。フロアーマットは、マット自体を替えることなく、広告シートを差し替えることができ、広告内容の変更要求に適時に対応することができる。フロアーマットは、それら支持プレートと一方向へ長い長尺ベースとの間に長尺の広告シートを取り付けることができるから、一方向へ長い長尺の広告を掲載することができ、長尺の広告の掲載要求に対応することができる。フロアーマットは、それら支持プレートと一方向へ長い長尺ベースとの間に複数枚の別の広告シートを取り付けることができるから、１つのフロアーマットに複数種類の広告シートを設置することができ、１つのフロアーマットで複数種類の広告を一度に表示することができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００１８】
長尺フレームの周縁部が支持プレートの縁部を固定する第１スロープ部分と第１スロープ部分の外側に位置する凸部分と凸部分の外側に位置する凹部分と凹部分の外側に位置する第２スロープ部分とを有し、長尺ベースの周縁部が支持プレートの縁部を着脱可能に固定する固定部分と固定部分の外側に位置してフレームの周縁部の凸部分に当接する当接部分と当接部分の外側に位置してフレームの周縁部の凹部分に嵌合する凸部分とを有する広告機能付きフロアーマットは、長尺フレームの周縁部の凹部分と長尺ベースの周縁部の凸部分とが嵌合するとともに固定手段を介して着脱可能に固定されるから、フレームとベースとを重ね合わせるときのそれらの位置決めを容易に行うことができるのみならず、フレームの周縁部とベースの周縁部との不用意なずれ動きを防ぐことができる。フロアーマットは、支持プレートの縁部が長尺フレームの周縁部の第１スロープ部分に固定されるとともに、長尺ベースの周縁部の固定部分に固定されるから、支持プレートをマットに確実に固定することができる。フロアーマットは、マット自体を替えることなく、広告シートを差し替えることができ、広告内容の変更要求に適時に対応することができる。フロアーマットは、それら支持プレートと一方向へ長い長尺ベースとの間に長尺の広告シートを取り付けることができるから、一方向へ長い長尺の広告を掲載することができ、長尺の広告の掲載要求に対応することができる。フロアーマットは、それら支持プレートと一方向へ長い長尺ベースとの間に複数枚の別の広告シートを取り付けることができるから、１つのフロアーマットに複数種類の広告シートを設置することができ、１つのフロアーマットで複数種類の広告を一度に表示することができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００１９】
長尺フレームの周縁部が、支持プレートの縁部を固定する第１スロープ部分と第１スロープ部分の外側に位置する凹部分と凹部分の外側に位置する第２スロープ部分とを有し、長尺ベースの周縁部が、支持プレートの縁部を着脱可能に固定する固定部分と固定部分の外側に位置してフレームの周縁部の凹部分に嵌合する凸部分とを有する広告機能付きフロアーマットは、長尺フレームの周縁部の凹部分と長尺ベースの周縁部の凸部分とが嵌合するとともに固定手段を介して着脱可能に固定されるから、フレームとベースとを重ね合わせるときのそれらの位置決めを容易に行うことができるのみならず、フレームの周縁部とベースの周縁部との不用意なずれ動きを防ぐことができる。フロアーマットは、支持プレートの縁部が長尺フレームの周縁部の第１スロープ部分に固定されるとともに、長尺ベースの周縁部の固定部分に固定されるから、支持プレートをマットに確実に固定することができる。フロアーマットは、マット自体を替えることなく、広告シートを差し替えることができ、広告内容の変更要求に適時に対応することができる。フロアーマットは、それら支持プレートと一方向へ長い長尺ベースとの間に長尺の広告シートを取り付けることができるから、一方向へ長い長尺の広告を掲載することができ、長尺の広告の掲載要求に対応することができる。フロアーマットは、それら支持プレートと一方向へ長い長尺ベースとの間に複数枚の別の広告シートを取り付けることができるから、１つのフロアーマットに複数種類の広告シートを設置することができ、１つのフロアーマットで複数種類の広告を一度に表示することができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００２０】
固定手段が粘着剤である広告機能付きフロアーマットは、粘着剤によって支持プレートの縁部が長尺ベースの周縁部の固定部分に固定されるとともに、粘着剤によって固定フレームの周縁部とベースの周縁部とが固定されるから、支持プレートをマットに確実に固定することができ、支持プレートの不用意なずれ動きを防ぐことができるとともに、固定フレームの周縁部とベースの周縁部との不用意なずれ動きを防ぐことができる。フロアーマットは、マット自体を替えることなく、広告シートを差し替えることができ、広告内容の変更要求に適時に対応することができる。フロアーマットは、それら支持プレートと一方向へ長い長尺ベースとの間に長尺の広告シートを取り付けることができるから、一方向へ長い長尺の広告を掲載することができ、長尺の広告の掲載要求に対応することができる。フロアーマットは、それら支持プレートと一方向へ長い長尺ベースとの間に複数枚の別の広告シートを取り付けることができるから、１つのフロアーマットに複数種類の広告シートを設置することができ、１つのフロアーマットで複数種類の広告を一度に表示することができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００２１】
長尺フレームの周縁部が支持プレートの縁部を固定する第１スロープ部分と第１スロープ部分の外側に位置する凹部分と凹部分の外側に位置する第２スロープ部分とを有し、長尺ベースの周縁部が長尺フレームの周縁部の第１スロープ部分に対向して支持プレートの縁部を固定する固定部分と固定部分の外側に位置してフレームの周縁部の第１スロープ部分に当接する第１凸部分と第１凸部分の外側に位置してフレームの周縁部の凹部分に対向する凹部分と凹部分の外側に位置してフレームの周縁部の第２スロープ部分に当接する第２凸部分とを有する広告機能付きフロアーマットは、長尺フレームの周縁部の凹部分と長尺ベースの周縁部の凹部分とが固定手段を介して着脱可能に固定されるから、フレームの周縁部とベースの周縁部との不用意なずれ動きを防ぐことができ、支持プレートの縁部が長尺フレームの周縁部の第１スロープ部分に固定されるとともに、長尺ベースの周縁部の固定部分に固定されるから、支持プレートをマットに確実に固定することができる。フロアーマットは、マット自体を替えることなく、広告シートを差し替えることができ、広告内容の変更要求に適時に対応することができる。フロアーマットは、それら支持プレートと一方向へ長い長尺ベースとの間に長尺の広告シートを取り付けることができるから、一方向へ長い長尺の広告を掲載することができ、長尺の広告の掲載要求に対応することができる。フロアーマットは、それら支持プレートと一方向へ長い長尺ベースとの間に複数枚の別の広告シートを取り付けることができるから、１つのフロアーマットに複数種類の広告シートを設置することができ、１つのフロアーマットで複数種類の広告を一度に表示することができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００２２】
支持プレートの縁部を固定する長尺ベースの固定部分の固定手段が粘着剤であり、長尺フレームの周縁部の凹部分とベースの周縁部の凹部分とを固定する固定手段がフレームの周縁部の凹部分とベースの周縁部の凹部分とに取り付けられたメカニカルファスナの雄ファスナと雌ファスナとである広告機能付きフロアーマットは、メカニカルファスナによってフレームの周縁部とベースの周縁部とが確実に固定されるから、固定フレームの周縁部とベースの周縁部との不用意なずれ動きを防ぐことができ、支持プレートの縁部が粘着剤を介して長尺ベースの周縁部の固定部分に固定されるから、支持プレートをマットに確実に固定することができる。フロアーマットは、メカニカルファスナの雄ファスナと雌ファスナとが固定フレームの周縁部の凹部分とベースの周縁部の凹部分とに取り付けられているから、それらファスナどうしを連結したときに凹部分の凹みによってそれらファスナの嵩が吸収され、それらファスナの嵩による固定フレームの周縁部とベースの周縁部とに発生する不規則な凸凹を防ぐことができる。フロアーマットは、マット自体を替えることなく、広告シートを差し替えることができ、広告内容の変更要求に適時に対応することができる。フロアーマットは、それら支持プレートと一方向へ長い長尺ベースとの間に長尺の広告シートを取り付けることができるから、一方向へ長い長尺の広告を掲載することができ、長尺の広告の掲載要求に対応することができる。フロアーマットは、それら支持プレートと一方向へ長い長尺ベースとの間に複数枚の別の広告シートを取り付けることができるから、１つのフロアーマットに複数種類の広告シートを設置することができ、１つのフロアーマットで複数種類の広告を一度に表示することができる。このフロアーマットは、各種の広告シートを配置した状態で、それを自由に移動させることができるから、必要な場所において宣伝広告を行うことができ、さらに、必要に応じて広告シートを自由に差し替えることができるから、宣伝場所や宣伝目的に合致した最適な広告を行うことができ、宣伝効果を最大限に発揮させることができる。
【００２３】
支持プレートが透明なＰＥＴ樹脂シートと透明な保護シートとから形成され、保護シートが透明な合成樹脂と合成樹脂に練り込まれた透明なセラミック粉末とから作られ、保護シートがＰＥＴ樹脂シートの非対向面に塗布された透明なＵＶ樹脂をバインダーとして非対向面に接合された広告機能付きフロアーマットは、ＰＥＴ樹脂シートに保護シートを接合することによって支持プレートの強度が向上し、プレートが踏みつけられたとしてもプレートが傷つき難く、支持プレートを長期間にわたって使用することができる。
【図面の簡単な説明】
【００２４】
【図１】一例として示す広告機能付きフロアーマットの平面図。
【図２】フレームとベースとを分離した状態で示す広告機能付きフロアーマットの斜視図。
【図３】プレートの一部を取り外した状態で示すベースの平面図。
【図４】図１のＸ１−Ｘ１線端面図。
【図５】フレームとベースとを分離した状態で示す図４と同様の図。
【図６】図１のＹ−Ｙ線端面図
【図７】図４とは異なる態様の図１のＸ１−Ｘ１線端面図。
【図８】フレームとベースとを分離した状態で示す図７と同様の図。
【図９】他の一例として示す広告機能付きフロアーマットの斜視図。
【図１０】プレートの一部を取り外した状態で示すベースの平面図。
【図１１】図９のＸ２−Ｘ２線端面図。
【図１２】フレームとベースとを分離した状態で示す図１１と同様の図。
【発明を実施するための形態】
【００２５】
広告機能付きフロアーマットの一例を示す図１等の添付の図面を参照し、本発明に係る広告機能付きフロアーマットの詳細を説明すると、以下のとおりである。なお、図２は、長尺フレーム１３と長尺ベース１４とを分離した状態で示す広告機能付きフロアーマット１０Ａの斜視図であり、図３は、支持プレート１２Ａ〜１２Ｅの一部を取り外した状態で示す長尺ベース１４の平面図である。図４は、図１のＸ１−Ｘ１線端面図であり、図５は、支持フレーム１３と長尺ベース１４とを分離した状態で示す図４と同様の図である。図６は、図１のＹ−Ｙ線端面図である。図１は、図２のフロアーマット１０Ａのみならず、後記する図９のフロアーマット１０Ｂの斜視図としても援用する。図１，２では、前後方向を矢印Ａ、横方向を矢印Ｂで示し、上下方向を矢印Ｃ（図２のみ）で示す。
【００２６】
図１に示す広告機能付きフロアーマット１０Ａ，１０Ｂは、販売品またはレンタル品として料金の支払いにより、店舗や宿泊施設、娯楽施設、生産施設、受付フロアー等の出入口や床等に設置され、店舗や宿泊施設、娯楽施設、生産施設、受付フロアー等において所定の商品や役務の宣伝広告に利用される。なお、それらフロアーマット１０Ａ，１０Ｂの横方向（一方向）の寸法や縦方向の寸法に特に限定はなく、縦横方向の寸法を自由に設定することができる。
【００２７】
広告機能付きフロアーマット１０Ａは、所定の広告を表示した広告シート１１と、複数の透明な支持プレート１２Ａ〜１２Ｅと、長尺フレーム１３および長尺ベース１４とから形成されている。広告シート１１は、紙やプラスチックシートから作られ、図示はしていないが、その少なくとも一面に所定の広告（文字、図形、記号、写真等の広告媒体）が表示されている。
【００２８】
それら支持プレート１２Ａ〜１２Ｅは、可撓性かつ弾力性を有し、その平面形状が矩形に成形されている。支持プレート１２Ａ〜１２Ｅは、互いに並行して前後方向へ延びる第１側縁部１５（周縁部）および第２側縁部１６（周縁部）と、互いに並行して横方向へ延びる第１端縁部１７（周縁部）および第２端縁部１８（周縁部）とを有する。なお、フロアーマット１０Ａ，１０Ｂでは、５枚のプレート１２Ａ〜１２Ｅを図示しているが、プレート１２Ａ〜１２Ｅの数に特に限定はない。また、プレート１２Ａ〜１２Ｅの縦横方向の寸法にも特に限定はない。
【００２９】
支持プレート１２Ａ〜１２Ｅは、図示はしていないが、透明なＰＥＴ樹脂シートと透明な保護シートとから形成されている。図６に示すように、横方向（一方向）へ隣り合う支持プレート１２Ｄ，１２Ｅは、それらプレート１２Ｄ，１２Ｅの第１および第２側縁部１５，１６どうしを着脱可能に連結する連結部材１９を介して横方向へ連結されている。
【００３０】
ＰＥＴ樹脂シートは、長尺ベース１４に対向する下面と、ベース１４に非対向の上面（非対向面）とを有する。保護シートは、ＰＥＴ樹脂シートの上面に配置されている。保護シートは、透明な合成樹脂とその合成樹脂に練り込まれた透明なセラミック粉末とから作られている。保護シートは、ＰＥＴ樹脂シートの上面に塗布された透明なＵＶ樹脂をバインダーとしてシートの上面に接合されている。連結部材１９は、シリコン等のゴム系素材から作られて可撓性かつ弾力性を有する。連結部材１９には、前後方向へ延びる芯部２０と、芯部２０の横方向両側に位置して前後方向へ延びる一対の嵌合部２１とが形成されている。嵌合部２１には、プレート１２Ａ〜１２Ｅの側縁部１５，１６が着脱可能に嵌め込まれる。
【００３１】
長尺フレーム１３は、ゴム系素材から作られて可撓性かつ弾力性を有する。長尺フレーム１３は、横方向へ長い矩形に成形されている。長尺フレーム１３は、互いに並行して前後方向へ延びる第１フレーム部２２（周縁部）および第２フレーム部２３（周縁部）と、互いに並行して横方向へ延びる第３フレーム部２４（周縁部）および第４フレーム部２５（周縁部）とを有する。各フレーム部２２〜２５には、図４，５に示すように、支持プレート１２Ａ〜１２Ｅの縁部１５〜１８を固定する第１スロープ部分２６と、第１スロープ部分２６の外側（前後方向外方および横方向外方）に位置して上下方向下方へ凸となる凸部分２７と、凸部分２７の外側（横方向外方および前後方向外方）に位置して上下方向上方へ凹む凹部分２８と、凹部分２８の外側に（前後方向外方および横方向外方）位置する第２スロープ部分２９とが形成されている。
【００３２】
第１スロープ部分２６は、長尺ベース１４の内側（前後方向外方および横方向外方）に向かうにつれて下り勾配に傾斜し、その先端の厚み寸法（上下方向の寸法）が略０である。第２スロープ部分２９は、凹部分２８から外側（前後方向外方および横方向外方）に向かうにつれて下り勾配に傾斜し、その先端の厚み寸法（上下方向の寸法）が略０である。長尺フレーム１３の第１スロープ部分２６と凸部分２７との厚み寸法（上下方向の寸法）の差は、支持プレート１２Ａ〜１２Ｅの厚み寸法（上下方向の寸法）と略同一である。
【００３３】
長尺ベース１４は、ゴム系素材から作られて可撓性かつ弾力性を有する。ベース１４は、その平面形状が横方向へ長い矩形に成形されている。ベース１４は、互いに並行して前後方向へ延びる第１側縁部３０（周縁部）および第２側縁部３１（周縁部）と、互いに並行して横方向へ延びる第１端縁部３２（周縁部）および第２端縁部３３（周縁部）と、それら縁部３０〜３３に囲繞された所定面積のプレート載置部３４とを有する。
【００３４】
長尺ベース１４の各縁部３０〜３３には、支持プレート１３の各縁部１５〜１８を着脱可能に固定する固定部分３５と、固定部分３５の外側（前後方向外方および横方向外方）に位置する当接部分３６と、当接部分３６の外側（前後方向外方および横方向外方）に位置して上下方向上方へ凸となる凸部分３７とが形成されている（図４，５参照）。固定部分３５は、長尺フレーム１３の第１スロープ部分２６に対向する。当接部分３６は、フレーム１３の凸部分２７に当接する。凸部分３７は、フレーム１３の凹部分２８に着脱可能に嵌合する。ベース１４の固定部分３５および凸部分３７には、粘着剤３８（固定手段）が塗布されている。なお、粘着剤３８は、フレーム１３の凹部分２８とベース１４の凸部分３７との少なくとも一方に塗布されていればよい。支持プレート１２Ａ〜１２Ｅの縁部１５〜１７は、粘着剤３８を介してベース１４の固定部分３５に着脱可能に固定される。フレーム１３の凹部分２８とベース１４の凸部分３７とは、粘着剤３８を介して着脱可能に固定される。
【００３５】
図７は、図４とは異なる態様の図１のＸ１−Ｘ１線端面図であり、図８は、支持フレーム１３と長尺ベース１４とを分離した状態で示す図７と同様の図である。図７の態様における長尺フレーム１３の各フレーム部２２〜２５には、支持プレート１２Ａ〜１２Ｅの縁部１５〜１８を固定する第１スロープ部分２６と、第１スロープ部分２６の外側（前後方向外方および横方向外方）に位置して上下方向上方へ凹む凹部分２８と、凹部分２８の外側（前後方向外方および横方向外方）に位置する第２スロープ部分２９とが形成されている。第１スロープ部分２６は、長尺ベース１４の内側（前後方向内方および横方向内方）に向かうにつれて下り勾配に傾斜し、その先端の厚み寸法（上下方向の寸法）が略０である。第２スロープ部分２９は、凹部分２８から外側（横方向外方および前後方向外方）に向かうにつれて下り勾配に傾斜し、その先端の厚み寸法（上下方向の寸法）が略０である。
【００３６】
図７の態様における長尺ベース１４の各縁部３０〜３３には、支持プレート１２Ａ〜１２Ｅの縁部１５〜１８を着脱可能に固定する固定部分３５と、固定部分３５の外側（前後方向外方および横方向外方）に位置上下方向上方へ凸となる凸部分３７とが形成されている（図４，５参照）。固定部分３５は、長尺フレーム１３の第１スロープ部分２６に対向する。凸部分３７は、フレーム１３の凹部分２８に着脱可能に嵌合する。ベース１４の固定部分３５および凸部分３７には、粘着剤３８（固定手段）が塗布されている。支持プレート１２Ａ〜１２Ｅの縁部１５〜１８は、粘着剤３８を介してベース１４の固定部分３５に着脱可能に固定される。フレーム１３の凹部分２８とベース１４の凸部分３７とは、粘着剤３８を介して着脱可能に固定される。
【００３７】
以下、この広告機能付きフロアーマット１０Ａの使用手順の一例を説明する。最初に長尺ベース１４に広告シート１１を設置する。ベース１４の凸部分３７に塗布された粘着剤３８の粘着力に抗してベース１４の縁部３０〜３３と長尺フレーム１４の各フレーム部２２〜２５との固定を解除し、図１の状態から図２に示すように、フレーム１４とベース１４とを分離する。フレーム１４とベース１４とを分離させた後、ベース１４の固定部分３５に塗布された粘着剤３８の粘着力に抗してベース１４の固定部分３５とそれら支持プレート１２Ａ〜１２Ｅの縁部１５〜１８との固定を解除し、ベース１４からそれら支持プレート１２Ａ〜１２Ｅを取り外す。なお、各支持プレート１２Ａ〜１２Ｅは、それらの縁部１５，１６が連結部材１９を介して連結されている。
【００３８】
支持プレート１２Ａ〜１２Ｅを取り外した後、ベース１４のプレート載置部３４に広告シート１１を乗せる。広告シート１１は、その横方方向の寸法がベース１４の第１および第２側縁部３２，３３間の寸法と略同一の長尺の広告シート１１、または、複数枚の短尺の広告シート１１のいずれであってもよい。広告シート１１が複数枚の短尺のそれである場合、それら広告シート１１を横方向へ一列に並べた状態でそれら広告シート１１をプレート載置部３４に乗せる。短尺の広告シート１１の一つの横方向の寸法は、プレート１２Ａ〜１２Ｅ１個分の横方向の寸法と同一である場合、または、プレート１２Ａ〜１２Ｅ２個〜４個分の横方向の寸法と同一である場合がある。
【００３９】
広告シート１１をプレート載置部３４に乗せた後、連結部材１９で連結されたそれら支持プレート１２Ａ〜１２Ｅを横方向（一方向）へ並べた状態でベース１４のプレート載置部３４の上に乗せ、粘着剤３８を介してプレート１２Ａ〜１２Ｅの縁部１５〜１８をベース１４の固定部分３５に固定する。広告シート１１は、支持プレート１２Ａ〜１２Ｅとベース１４との間に挟み込まれた状態で支持（固定）される。広告シート１１の広告を表示した面を透明な支持プレート１２Ａ〜１２Ｅに対向させることで、プレート１２Ａ〜１２Ｅを通して広告シート１１に表示された広告を視認することができる。
【００４０】
広告シート１１をベース１４に設置した後、長尺フレーム１３をベース１４の縁部３０〜３３の上に重ね合わせ、フレーム１３の凹部分２８とベース１４の凸部分３７とを嵌合させるとともに、フレーム１３を上下方向下方へ押圧する。フレーム１３を押圧すると、ベース１４の凸部分３７に塗布された粘着剤３８を介してフレーム１３の凹部分２８とベース１４の凸部分３７とが固定される。フレーム１３とベース１４とが固定されると、フレーム１３の凸部分２７がベース１４の当接部分３６に当接するとともに（図５のみ）、図５および図８に示すように、支持プレート１２Ａ〜１２Ｅの縁部１５〜１８がフレーム１３の第１スロープ部分２６によって上下方向下方へ押圧された状態となり、プレート１２Ａ〜１２Ｅの縁部１５〜１８がフレーム１３の第１スロープ部分２６とベース１４の固定部分３５との間に挟まれた状態で固定される。フレーム１３の第２スロープ部分２９は、ベース１４の凸部分３７の外側に位置する。
【００４１】
フレーム１３とベース１４とを固定した後、広告機能付きフロアーマット１０Ａを店舗や宿泊施設、娯楽施設、生産施設、受付フロアー等の出入口や床等に置く。店舗や宿泊施設、娯楽施設、生産施設、受付フロアー等を利用する人がこのフロアーマット１０Ａの上（支持プレート１２Ａ〜１２Ｅの上）を通過するときに、広告シート１１の広告がプレート１２Ａ〜１２Ｅを透過して目に入り、その広告の内容を認識する。
【００４２】
広告内容の変更が生じ、広告シート１１を差し替える場合、粘着剤３８の粘着力に抗して長尺フレーム１３の凹部分２８と長尺ベース１４の凸部分３７との固定を解除した後、フレーム１３とベース１４とを分離し、粘着剤３８の粘着力に抗してベース１３の固定部分３５とそれら支持プレート１２Ａ〜１２Ｅの縁部１５〜１８との固定を解除し、ベース１４からそれら支持プレート１２Ａ〜１２Ｅを取り外す。プレート１２Ａ〜１２Ｅを取り外した後、ベース１４のプレート載置部３４から広告シート１１を取り出し、載置部３４にあらたな広告シート１１を乗せ、広告シート１１の差し替えを行う。広告シート１１の差し替えを行った後、上記の手順でプレート１２Ａ〜１２Ｅをベース１４に固定し、フレーム１３とベース１４とを固定する。
【００４３】
広告機能付きフロアーマット１０Ａは、所定の広告を表示した広告シート１１が複数の支持プレート１２Ａ〜１２Ｅと長尺ベース１４との間に着脱可能に取り付けられるから、マット１０Ａ自体を替えることなく、広告シート１１を差し替えることができ、広告内容の変更要求に適時に対応することができる。フロアーマット１０Ａは、広告内容の変更が生じたとしても、マット１０Ａ自体を替える必要がないから、その分の手間や費用を省くことができる。フロアーマット１０Ａは、それら支持プレート１２Ａ〜１２Ｅと横方向（一方向）へ長い長尺ベース１４との間に長尺の広告シート１１を取り付けることができるから、横方向へ長い長尺の広告を掲載することができ、長尺の広告の掲載要求に対応することができる。フロアーマット１０Ａは、それら支持プレート１２Ａ〜１２Ｅと横方向へ長い長尺ベース１４との間に複数枚の別の広告シート１１を取り付けることができるから、１つのフロアーマット１０Ａに複数種類の広告シート１１を設置することができ、１つのフロアーマット１０Ａで複数種類の広告を一度に表示することができる。このフロアーマット１０Ａは、各種の広告シート１１を配置した状態で、それを自由に移動させることができるから、必要な場所において宣伝広告を行うことができ、さらに、必要に応じて広告シート１１を自由に差し替えることができるから、宣伝場所や宣伝目的に合致した最適な広告を行うことができ、宣伝効果を最大限に発揮させることができる。
【００４４】
広告機能付きフロアーマット１０Ａは、広告シート１１を支持プレート１２Ａ〜１２Ｅとベース１４との間に確実に固定することができ、プレート１２Ａ〜１２Ｅをフレーム１３とベース１４との間に確実に固定することができる。このフロアーマット１０Ａは、フレーム１３の凹部分２８とベース１４の凸部分３７とが嵌合するとともに粘着剤３８を介して着脱可能に固定されるから、フレーム１３とベース１４とを重ね合わせるときのそれらの位置決めを容易に行うことができるのみならず、フレーム１３の各フレーム部２２〜２５とベース１４の縁部３０〜３３との不用意なずれ動きを防ぐことができる。
【００４５】
広告機能付きフロアーマット１０Ａは、支持プレート１２Ａ〜１２Ｅの縁部１５〜１８がフレーム１３の第１スロープ部分２６とベース１４の固定部分３５とに挟まれた状態で固定されるから、プレート１２Ａ〜１２Ｅがフロアーマット１０Ａから不用意に離脱することはなく、フロアーマット１０Ａとプレート１２Ａ〜１２Ｅとの一体性を保持することができる。また、広告シート１１が支持プレート１２Ａ〜１２Ｅとベース１４のプレート載置部３４との間に挟まれた状態で固定されるから、広告シート１１がマット１０Ａに確実に支持され、フロアーマットと広告シート１１との一体性を確実に維持することができる。
【００４６】
広告機能付きフロアーマット１０Ａは、支持プレート１２Ａ〜１２Ｅが透明なＰＥＴ樹脂シートと透明な保護シートとから形成され、保護シートが透明な合成樹脂と合成樹脂に練り込まれた透明なセラミック粉末とから作られているから、支持プレート１２Ａ〜１２Ｅの強度が高く、プレート１２Ａ〜１２Ｅが踏みつけられたとしてもプレート１２Ａ〜１２Ｅが傷つき難く、プレート１２Ａ〜１２Ｅを長期間にわたって使用することができる。
【００４７】
図９は、他の一例として示す広告機能付きフロアーマット１０Ｂの斜視図であり、図１０は、支持プレート１２Ａ〜１２Ｅの一部を取り外した状態で示す長尺ベース１４の平面図である。図１１は、図９のＸ２−Ｘ２線端面図であり、図１２は、長尺フレーム１３と長尺ベース１４とを分離した状態で示す図１１と同様の図である。図９では、前後方向を矢印Ａ、横方向を矢印Ｂで示し、上下方向を矢印Ｃで示す。図９では、長尺フレーム１３と長尺ベース１４とを分離した状態で示す。なお、図１２は、図９の斜視図において、支持プレート１２Ａ〜１２Ｅをベース１４に設置し、さらに、フレーム１３とベース１４とを重ね合わせたときの断面図である。
【００４８】
このフロアーマット１０Ｂが図１のそれと異なるところは固定手段としてメカニカルファスナを利用している点、長尺フレーム１３の各フレーム部２２〜２５の構成や長尺ベース１４の縁部３０〜３３の構成が相違する点にあり、その他の構成は図１のフロアーマット１０Ａと同一である。したがって、図１のフロアーマット１０Ａと同一の構成については図１と同一の符号を付し、図１のフロアーマット１０Ａの説明を援用することで、このフロアーマット１０Ｂにおける同一の構成についての説明は省略する。
【００４９】
このフロアーマット１０Ｂは、所定の広告を表示した広告シート１１と、複数の透明な支持プレート１２Ａ〜１２Ｅと、長尺フレーム１３および長尺ベース１４とから形成されている。支持プレート１２Ａ〜１２Ｅは、図１のそれと同一であり、透明なＰＥＴ樹脂シートと透明な保護シートとから形成されている。横方向（一方向）へ隣り合う支持プレート１２Ａ〜１２Ｅは、それらプレート１２Ａ〜１２Ｅの第１および第２側縁部１５，１６どうしを着脱可能に連結する連結部材１９を介して横方向へ連結されている（図６参照）。
【００５０】
長尺フレーム１３は、図１のそれと同様に、ゴム系素材から作られて可撓性かつ弾力性を有する。フレーム１３の各フレーム部２２〜２５（周縁部）には、支持プレート１２Ａ〜１２Ｅの縁部１５〜１８を固定する第１スロープ部分３９と、第１スロープ部分の外側（前後方向外方および横方向外方）に位置して上下方向上方へ凹む凹部分４０と、凹部分４０の外側（前後方向外方および横方向外方）に位置する第２スロープ部分４１とが形成されている（図１１，１２参照）。凹部分４０には、メカニカルファスナのうちの雌ファスナ４２ａが取り付けられている。第１スロープ部分３９は、ベース１４の内側（横方向内方および前後方向内方）に向かうにつれて下り勾配に傾斜し、その先端の厚み寸法（上下方向の寸法）が略０である。第２スロープ部分４１は、凹部分４０から外側（前後方向外方および横方向外方）に向かうにつれて下り勾配に傾斜し、その先端の厚み寸法（上下方向の寸法）が略０である。
【００５１】
長尺ベース１４は、図１のそれと同様に、ゴム系素材から作られて可撓性かつ弾力性を有する。ベース１４の縁部３０〜３３には、支持プレート１２Ａ〜１２Ｅの縁部１５〜１８を着脱可能に固定する固定部分４３と、固定部分４３の外側（前後方向外方および横方向外方）に位置して上下方向上方へ凸となる第１凸部分４４と、第１凸部分４４の外側（前後方向外方および横方向外方）に位置して上下方向下方へ凹む凹部分４５と、凹部分４５の外側（前後方向外方および横方向外方）に位置して上下方向上方へ凸となる第２凸部分４６とが形成されている（図１１，１２参照）。固定部分４３には、粘着剤３８が塗布されている。固定部分４３は、フレーム１３の第１スロープ部分３９に対向する。第１凸部分４４は、フレーム１３の第１スロープ部分３９に当接する。凹部分４５は、フレーム１３の凹部分４０に対向する。第２凸部分４６は、フレーム１３の第２スロープ部分４１に当接する。
【００５２】
ベース１４の第１凸部分４４の厚み寸法（上下方向の寸法）は、支持プレート１２Ａ〜１２Ｅの厚み寸法（上下方向の寸法）と略同一である。凹部分４５には、メカニカルファスナのうちの雄ファスナ４２ｂが取り付けられている。支持プレート１２Ａ〜１２Ｅの縁部１５〜１８は、粘着剤３８を介してベース１４の固定部分４３に着脱可能に固定される。フレーム１３の凹部分４０とベース１４の凹部分４５とは、ファスナ４２ａ，４２ｂを介して着脱可能に固定される。
【００５３】
以下、この広告機能付きフロアーマット１０Ｂの使用手順の一例を説明する。最初に長尺ベース１４に広告シート１１を設置する。長尺フレーム１３の凹部分４０とベース１４の凹部分４５とに取り付けられたファスナ４２ａ，４２ｂの固定を解除し、図１の状態から図９に示すように、フレーム１３とベース１４とを分離する。フレーム１３とベース１４とを分離させた後、ベース１４の固定部分４３に塗布された粘着剤３８の粘着力に抗してベース１４の固定部分４３とそれら支持プレート１２Ａ〜１２Ｅの縁部１５〜１８との固定を解除し、ベース１４からそれら支持プレート１２Ａ〜１２Ｅを取り外す。なお、各支持プレート１２Ａ〜１２Ｅは、それらの縁部１５〜１８が連結部材１９を介して連結されている。
【００５４】
支持プレート１２Ａ〜１２Ｅを取り外した後、ベース１４のプレート載置部３４に広告シート１１を乗せる。広告シート１１は、その横方方向の寸法がベース１４の第１および第２側縁部３２，３３間の寸法と略同一の長尺の広告シート１１、または、複数枚の短尺の広告シート１１のいずれであってもよい。広告シート１１が複数枚の短尺のそれである場合、それら広告シート１１を横方向へ一列に並べた状態でそれら広告シート１１をプレート載置部３４に乗せる。
【００５５】
広告シート１１をプレート載置部３４に乗せた後、連結部材１９で連結されたそれら支持プレート１２Ａ〜１２Ｅを横方向（一方向）へ並べた状態でベース１４のプレート載置部３４の上に乗せ、粘着剤３８を介してプレート１２Ａ〜１２Ｅの縁部１５〜１８をベース１４の固定部分４３に固定する。広告シート１１は、支持プレートと１２Ａ〜１２Ｅベース１４との間に挟み込まれた状態で支持（固定）される。広告シート１１の広告を表示した面を透明な支持プレート１２Ａ〜１２Ｅに対向させることで、プレート１２Ａ〜１２Ｅを通して広告シート１１に表示された広告を視認することができる。
【００５６】
広告シート１１をベース１４に設置した後、フレーム１３の各フレーム部２２〜２５をベース１４の縁部３０〜３３の上に重ね合わせ、フレーム１３を上下方向下方へ押圧する。フレーム１３を押圧すると、ファスナ４２ａ，４２ｂを介してフレーム１３の凹部４０とベース１４の凹部４５とが固定される。フレーム１３とベース１４とが固定されると、図１１に示すように、ベース１４の第１凸部分４４がフレーム１３の第１スロープ部分３９に当接するとともに、ベース１１４の第２凸部分４６がフレーム１４の第２スロープ部分４１に当接する。さらに、支持プレート１２Ａ〜１２Ｅの縁部１５〜１８がフレーム１３の第１スロープ部分３９によって上下方向下方へ押圧された状態となり、プレート１２Ａ〜１２Ｅの縁部１５〜１８がフレーム１２Ａ〜１２Ｅの第１スロープ部分３９とベース１４の固定部分４３との間に挟まれた状態で固定される。フレーム１２Ａ〜１２Ｅの第２スロープ部分４１は、ベース１４の第２凸部分４６の外側に位置する。
【００５７】
フレーム１３とベース１４とを固定した後、広告機能付きフロアーマット１０Ｂを店舗や宿泊施設、娯楽施設、生産施設、受付フロアー等の出入口や床等に置く。店舗や宿泊施設、娯楽施設、生産施設、受付フロアー等を利用する人がこのフロアーマット１０Ｂの上（支持プレート１２Ａ〜１２Ｅの上）を通過するときに、広告シート１１の広告がプレート１２Ａ〜１２Ｅを透過して目に入り、その広告の内容を認識する。
【００５８】
広告内容の変更が生じ、広告シート１１を差し替える場合、フレーム１３の凹部４０とベース１４の凹部４５との固定を解除した後、フレーム１３とベース１４とを分離し、粘着剤３８の粘着力に抗してベース１４の固定部分４３とそれら支持プレート１２Ａ〜１２Ｅの縁部１５〜１８との固定を解除し、ベース１４からそれらプレート１２Ａ〜１２Ｅを取り外す。プレート１２Ａ〜１２Ｅを取り外した後、ベース１４のプレート載置部３４から広告シート１１を取り出し、載置部３４にあらたな広告シート１１を乗せ、広告シート１１の差し替えを行う。広告シート１１の差し替えを行った後、上記の手順で支持プレート１２Ａ〜１２Ｅをベース１４に固定し、フレーム１３とベース１４とを固定する。
【００５９】
広告機能付きフロアーマット１０Ｂは、図１のフロアーマット１０Ａと同様に、所定の広告を表示した広告シート１１が複数の支持プレート１２Ａ〜１２Ｅと長尺ベース１４との間に着脱可能に取り付けられるから、マット１０Ｂ自体を替えることなく、広告シート１１を差し替えることができ、広告内容の変更要求に適時に対応することができる。フロアーマット１０Ｂは、広告内容の変更が生じたとしても、マット１０Ｂ自体を替える必要がないから、その分の手間や費用を省くことができる。フロアーマット１０Ｂは、それら支持プレート１２Ａ〜１２Ｅと横方向（一方向）へ長い長尺ベース１４との間に長尺の広告シート１１を取り付けることができるから、横方向へ長い長尺の広告を掲載することができ、長尺の広告の掲載要求に対応することができる。フロアーマット１０Ｂは、それら支持プレート１２Ａ〜１２Ｅと横方向へ長い長尺ベース１４との間に複数枚の別の広告シート１１を取り付けることができるから、１つのフロアーマット１０Ｂに複数種類の広告シート１１を設置することができ、１つのフロアーマット１０Ｂで複数種類の広告を一度に表示することができる。このフロアーマット１０Ｂは、各種の広告シート１１を配置した状態で、それを自由に移動させることができるから、必要な場所において宣伝広告を行うことができ、さらに、必要に応じて広告シート１１を自由に差し替えることができるから、宣伝場所や宣伝目的に合致した最適な広告を行うことができ、宣伝効果を最大限に発揮させることができる。
【００６０】
広告機能付きフロアーマット１０Ｂは、ファスナ４２ａ，４２ｂによって長尺フレーム１３の各フレーム部２２〜２５（周縁部）と長尺ベース１４の縁部３０〜３３（周縁部）とが確実に固定されるから、フレーム１３とベース１４との不用意なずれ動きを防ぐことができ、支持プレート１２Ａ〜１２Ｅをマット１０Ｂに確実に固定することができる。フロアーマット１０Ｂは、雄ファスナ４２ａと雌ファスナ４２ｂとがフレーム１３の凹部分４０とベース１４の凹部分４５とに取り付けられているから、それらファスナ４２ａ，４２ｂどうしを連結したときに凹部分４０，４５の凹みによってそれらファスナ４２ａ，４２ｂの嵩が吸収され、それらファスナ４２ａ，４２ｂの嵩によるフレーム１３のフレーム部２２〜２５とベース１４の縁部３０〜３３とに発生する不規則な凸凹を防ぐことができる。
【００６１】
広告機能付きフロアーマット１０Ｂは、支持プレート１２Ａ〜１２Ｅの縁部１５〜１８がフレーム１３の第１スロープ部分３９とベース１４の固定部分４３とに挟まれた状態で固定されるから、プレート１２Ａ〜１２Ｅがフロアーマット１０Ｂから不用意に離脱することはなく、フロアーマット１０Ｂとプレート１２Ａ〜１２Ｅとの一体性を保持することができる。また、広告シート１１が支持プレート１２Ａ〜１２Ｅとベース１４のプレート載置部３４との間に挟まれることで、広告シート１１がフロアーマット１０Ｂに確実に支持され、フロアーマット１０Ｂと広告シート１１との一体性を確実に維持することができる。
【符号の説明】
【００６２】
１０Ａ  広告機能付きフロアーマット
１０Ｂ  広告機能付きフロアーマット
１１    広告シート
１２Ａ〜１２Ｅ  支持プレート
１３    長尺フレーム
１４    長尺ベース
１５    第１側縁部（縁部）
１６    第２側縁部（縁部）
１７    第１端縁部（縁部）
１８    第２端縁部（縁部）
１９    連結部材
２０    芯部
２１    嵌合部
２２    第１フレーム部（周縁部）
２３    第２フレーム部（周縁部）
２４    第３フレーム部（周縁部）
２５    第４フレーム部（周縁部）
２６    第１スロープ部分
２７    凸部分
２８    凹部分
２９    第２スロープ部分
３０    第１側縁部（周縁部）
３１    第２側縁部（周縁部）
３２    第１端縁部（周縁部）
３３    第２端縁部（周縁部）
３４    プレート載置部
３５    固定部分
３６    当接部分
３７    凸部分
３８    粘着剤
３９    第１スロープ部分
４０    凹部分
４１    第２スロープ部分
４２ａ  雌ファスナ
４２ｂ  雄ファスナ
４３    固定部分
４４    第１凸部分
４５    凹部分
４６    第２凸部分
【図１】
2011212221.tif 000003
【図２】
2011212221.tif 000004
【図３】
2011212221.tif 000005
【図４】
2011212221.tif 000006
【図５】
2011212221.tif 000007
【図６】
2011212221.tif 000008
【図７】
2011212221.tif 000009
【図８】
2011212221.tif 000010
【図９】
2011212221.tif 000011
【図１０】
2011212221.tif 000012
【図１１】
2011212221.tif 000013
【図１２】
2011212221.tif 000014